(57)【要約】【課題】吸水性及び、汗や水分の発散性が高く、かつ静電気除去性能を有する生地を提供する。【解決手段】一般衣料に使用する生地において、前記生地は吸水性繊維及び導電性繊維から構成されてあり、前記吸水性繊維は前記繊維断面が外周部に複数の凹部を有する概星型形状に形成されてあると共に、前記導電性繊維は静電気除去性能を有し、前記吸水性繊維及び前記導電性繊維を組み合わせた編物あるいは織物に形成されてあるものである。【選択図】　　　　　図４
2004100121.tif 000002
【特許請求の範囲】
【請求項１】
一般衣料に使用する生地において、前記生地は吸水性繊維及び導電性繊維から構成されてあり、前記吸水性繊維は前記繊維断面が外周部に複数の凹部を有する概星型形状に形成されてあると共に、前記導電性繊維は静電気除去性能を有し、前記吸水性繊維及び前記導電性繊維を組み合わせた編物あるいは織物であることを特徴とする吸水導電生地。
【請求項２】
請求項１記載の構成よりなる吸水導電生地において、前記吸水性繊維にポリエステル繊維を使用することを特徴とする吸水導電生地。
【発明の詳細な説明】
【０００１】
【発明の属する技術分野】
本発明は、一般衣料に使用する生地に関するものである。
【０００２】
【従来の技術】
従来の一般衣料に使用する生地に関しては、様々な改良がなされ、例えば特開２００２−８８６１３の除電繊維生地や、特開２００１−３５５１０８の防塵衣等が開示されてある。また、従来の一般衣料に使用する生地の一例を、以下図１から図３を用いて説明する。
【０００３】
図１は、従来の吸水導電生地を示す斜視図である。図２は、従来の生地の拡大図である。図３は、吸水性繊維糸の断面拡大図である。図１から図３において、１は生地、２は吸水性繊維糸、３は導電性繊維糸、４は吸水性繊維である。従来の生地は、吸水性繊維糸２及び導電性繊維糸３を組み合わせた編物あるいは織物にて形成されてある。吸水性繊維糸２は、断面が概丸型形状に形成されてある吸水性繊維４が、複数束ねられて形成されてある。吸水性繊維４の材質には、ポリエステル繊維あるいは、ポリエステル繊維及び木綿繊維が、組み合わされて使用されてある。
【０００４】
【発明が解決しようとする課題】
従来の生地においては、吸水性繊維糸２に使用されてあるポリエステル繊維は、断面が概丸型形状に形成されてある為、吸水性が低く、木綿等の吸水性の高い繊維を一緒に織り込んで、吸水性を向上させた編物あるいは織物にして、作業着等の衣服の生地に使用されていた。しかし、木綿等は、短繊維構造になっている為、毛羽立ちあるいは埃等が発生するという課題を有していた。
【０００５】
また、クリーンルーム等で使用する防塵服は、埃等が発生、付着しない生地を使用する必要がある為、吸水性繊維糸２にポリエステル繊維のみを使用すると共に、導電性繊維糸３を組み合わせた編物あるいは織物にて形成されてある。しかし、ポリエステル繊維は吸水性が低く、汗を吸い取り、発散させない為、着用時の不快感が大きいという課題を有していた。
【０００６】
本発明は、上記のような課題を解決するためになされたもので、吸水性及び、汗や水分の発散性が高く、かつ静電気除去性能を有する生地を提供することを目的としている。
【０００７】
【課題を解決するための手段】
本発明にかかる吸水導電生地は、次のように構成したものである。
（１）一般衣料に使用する生地において、前記生地は吸水性繊維及び導電性繊維から構成されてあり、前記吸水性繊維は前記繊維断面が外周部に複数の凹部を有する概星型形状に形成されてあると共に、前記導電性繊維は静電気除去性能を有し、前記吸水性繊維及び前記導電性繊維を組み合わせた編物あるいは織物に形成されてあるものである。
【０００８】
（２）上記（１）記載の吸水導電生地において、前記吸水性繊維にポリエステル繊維を使用して形成されてあるものである。
【０００９】
【発明の実施の形態】
実施の形態１
図４から図６に実施の形態１を示す。図４は、本発明の実施の形態１の吸水導電生地を示す斜視図である。図５は、図４の吸水導電生地の拡大図である。図６は、図５に使用する吸水性繊維糸の断面拡大図である。図４から図６において、１１は吸水導電生地、１２は吸水性繊維糸、１３は導電性繊維糸、１４は吸水性繊維、１５は凹部である。
【００１０】
本発明の実施の形態１の吸水導電生地１１は、図４の如く、吸水性繊維糸１２及び導電性繊維糸１３を組み合わせた織物にて構成されてある。吸水性繊維糸１２は、図６の如く、複数の吸水性繊維１４が束ねられて形成されてある。吸水性繊維１４は、繊維断面の外周部に、複数の凹部１５が形成されてあり、繊維断面は、概星型形状に形成されてある。複数の凹部１５には、水分が付着すると共に、凹部１５に付着した水分は、毛細管現象の如く、凹部１５を通って流れていく。
【００１１】
また、導電性繊維糸１３は、繊維中に炭素が混入されてある為、導電性を有している。吸水導電生地１１は、導電性繊維糸１３が織り込んである為、摩擦等で生地に静電気が発生した場合でも、導電性繊維糸１３が静電気を吸収し、コロナ放電をする。
【００１２】
本発明の実施の形態１の吸水導電生地１１は、上記の如くの構成となっている為、吸水性繊維１４の繊維断面の外周部に形成された複数の凹部１５が、水分を付着させることができ、汗等の水分の吸収性を高めることができる。また、凹部１５に付着した水分は、毛細管現象の如く、凹部１５を通って流れていく為、水分の拡散性を高めることができる。また、吸水導電生地１１を使用した編物あるいは織物は、水分の吸収性及び水分の拡散性が高い為、生地中に付着した汗等の水分を、すばやく蒸発させることができる。また、吸水導電生地１１は、従来の生地に使用されてあるポリエステル繊維に比べて、水分の吸収性及び水分の拡散性が高い為、気化熱作用にも優れ、身体表面を乾燥させて体温をすばやく下げ、爽快感の高い衣料を作成することができる。
【００１３】
また、吸水導電生地１１は、導電性繊維糸１３が織り込んである為、摩擦等で発生する静電気による生地のまつわり付きや、埃等の付着、静電気によるスパーク等の発生を抑えることができる。さらにまた、吸水導電生地１１は、吸水性繊維糸１２及び導電性繊維糸１３を組み合わせた織物にて構成されてある為、水分の吸収性、拡散性が高く、かつ爽快感が高くて、生地のまとわり付き及び、埃等の付着、静電気によるスパーク等の発生を抑えることができる。吸水導電生地１１は、以上の構成である為、防塵服、作業服等の他に、一般衣料及び手袋等にも、広く使用することができる。
【００１４】
本発明の実施の形態１の吸水導電生地１１は、上記の如くの構成となっているが、使用する吸水性繊維糸１２及び導電性繊維糸１３の材料としては、ポリエステル繊維が効果的であるが、使用する目的に応じて、適時、ポリエステル繊維以外の材質の繊維を使用しても、何ら支障は無い。また、凹部１５の詳細形状、配置状態、個数等についても、使用目的に応じて、適時、設定しても何ら支障は無い。さらにまた、吸水性繊維糸１２と導電性繊維糸１３の組み合わせ割合についても、吸水性繊維糸１２：導電性繊維糸１３＝約５０：１重量％から約７５：１重量％程度が好適であるが、前記以外の重量％を設定しても何ら支障は無い。
【００１５】
次に、図７に実施の形態１の他の実施例を示す。図７は、本発明の実施の形態１の他の実施例の吸水導電生地に使用する吸水性繊維糸を示す断面図である。図７において、２２は吸水性繊維糸、２４は吸水性繊維、２５は凹部である。
【００１６】
本発明の実施の形態１の他の実施例においては、前記実施の形態１の吸水性繊維糸１２の替わりに、図７の如く、吸水性繊維糸２２が使用されてある。吸水性繊維糸２２は、図７の如く、複数の吸水性繊維２４が束ねられて形成されてある。吸水性繊維２４は、繊維断面の外周部に、所定数の凹部２５が形成されてあり、繊維断面は、任意の形状に形成されてある。
【００１７】
本発明の実施の形態１の他の実施例の吸水導電生地は、上記の如くの構成となっている為、吸水性繊維糸２２に、繊維断面の形状、凹部２５の個数にかかわらず、様々な断面形状を有する吸水性繊維２４を使用することができる。
【００１８】
【発明の効果】
以上の説明から明らかなように、吸水導電生地は次に示すような効果を得ることができる。
【００１９】
吸水性繊維の繊維断面の外周部に形成された複数の凹部が、水分を付着させることができ、汗等の水分の吸収性を高めることができる。また、凹部に付着した水分は、毛細管現象の如く、凹部を通って流れていく為、水分の拡散性を高めることができる。また、吸水導電生地を使用した編物あるいは織物は、水分の吸収性及び水分の拡散性が高い為、生地中に付着した汗等の水分を、すばやく蒸発させることができる。また、吸水導電生地は、従来の生地に使用されてあるポリエステル繊維に比べて、水分の吸収性及び水分の拡散性が高い為、気化熱作用にも優れ、身体表面を乾燥させて体温をすばやく下げ、爽快感の高い衣料を作成することができる。
【００２０】
また、吸水導電生地は、導電性繊維糸が織り込んである為、摩擦等で発生する静電気による生地のまとわり付きや、埃等の付着、静電気によるスパーク等の発生を抑えることができる。さらにまた、吸水導電生地は、吸水性繊維糸及び導電性繊維糸を組み合わせた織物にて構成されてある為、水分の吸収性、拡散性が高く、かつ爽快感が高くて、生地のまとわり付き及び、埃等の付着、静電気によるスパーク等の発生を、抑えることができる。吸水導電生地は、以上の構成である為、防塵服、作業服等の他に、一般衣料及び手袋等にも、広く使用することができる。
【００２１】
また、繊維断面の外周部に、所定数の凹部が形成されてあり、繊維断面が任意の形状に形成されてある吸水性繊維を使用した場合には、吸水性繊維糸に、繊維断面の形状、凹部の個数にかかわらず、様々な断面形状を有する吸水性繊維を使用することができる。
【図面の簡単な説明】
【図１】従来の吸水導電生地を示す斜視図である。
【図２】図１の吸水導電生地の拡大図である。
【図３】図１の吸水導電生地に使用する吸水性繊維糸の断面拡大図である。
【図４】本発明の実施の形態１の吸水導電生地を示す斜視図である。
【図５】図４の吸水導電生地の拡大図である。
【図６】図４の吸水導電生地に使用する吸水性繊維糸の断面拡大図である。
【図７】本発明の実施の形態１の他の実施例の吸水導電生地に使用する吸水性繊維糸を示す断面図である。
【符号の説明】
１　生地　２、１２、２２　吸水性繊維糸　３、１３　導電性繊維糸
４、１４、２４　吸水性繊維　１１　吸水導電生地
１５、２５　凹部
【図１】
2004100121.tif 000003
【図２】
2004100121.tif 000004
【図３】
2004100121.tif 000005
【図４】
2004100121.tif 000006
【図５】
2004100121.tif 000007
【図６】
2004100121.tif 000008
【図７】
2004100121.tif 000009